(57)【要約】【課題】  利用者が所持するパーソナル携帯端末を用いて選曲予約を行う機能を有するシステムにおいて、ネットワーク接続された少なくとも２つのカラオケ演奏端末を同期させて、同一のカラオケ楽曲を略同時に演奏開始させる。【解決手段】  中継サーバ４０は、同期演奏モード移行手段１０２により同期演奏モードに移行したカラオケ演奏端末８０に対して、同期演奏の募集者又は応募者のいずれか一方のパーソナル携帯端末６０から受信した当該選曲予約情報を送信する。また、データ到達時間計測記憶手段４８により各カラオケ演奏端末８０のデータ到達時間を計測して記憶し、選曲予約情報中継手段４７により各データ到達時間の差に基づき、各カラオケ演奏端末８０に演奏信号を送信する。各カラオケ演奏端末８０は、演奏開始信号を受信すると、選曲予約情報に基づくカラオケ楽曲の演奏を開始する。【選択図】図１
2014026183.tif 000002
【特許請求の範囲】
【請求項１】
利用者が所持するパーソナル携帯端末から入力された選曲予約情報を中継サーバで中継することにより、各カラオケ演奏端末においてカラオケ楽曲の選曲予約を行う機能を有し、ネットワーク接続された少なくとも２つの前記カラオケ演奏端末を同期させて、同一のカラオケ楽曲を同時に演奏することが可能な同期演奏モードを備えたカラオケ同期演奏システムであって、
同期演奏募集情報送信手段と、同期演奏募集情報登録手段と、閲覧要求信号送信手段と、閲覧要求信号受信手段と、同期演奏募集情報転送手段と、同期演奏募集情報受信手段と、同期演奏応募情報送信手段と、同期演奏情報送信手段と、同期演奏情報表示手段と、同期演奏モード移行手段と、同期演奏情報取得手段と、選曲予約情報送信手段と、データ到達時間計測記憶手段と、選曲予約情報中継手段と、を備え、
前記同期演奏募集情報送信手段と、前記閲覧要求信号送信手段と、前記同期演奏募集情報受信手段と、前記同期演奏応募情報送信手段と、前記同期演奏情報取得手段と、前記選曲予約情報送信手段は、前記パーソナル携帯端末の機能として実現され、
前記同期演奏募集情報登録手段と、前記閲覧要求信号受信手段と、前記同期演奏募集情報転送手段と、前記同期演奏情報送信手段と、前記データ到達時間計測記憶手段と、前記選曲予約情報中継手段は、前記中継サーバの機能として実現され、
前記同期演奏情報表示手段と、前記同期演奏モード移行手段は、前記カラオケ演奏端末の機能として実現され、
前記同期演奏募集情報送信手段は、募集者のパーソナル携帯端末から、前記中継サーバに対して、同期演奏応募者を募る旨及び当該パーソナル携帯端末に紐付けされたカラオケ演奏端末の識別情報を含む同期演奏募集情報を送信し、
前記同期演奏募集情報登録手段は、前記同期演奏募集情報を受信して、所定の格納領域に登録し、
前記閲覧要求信号送信手段は、応募者のパーソナル携帯端末から、前記中継サーバに対して、前記同期演奏募集情報の閲覧要求信号を送信し、
前記同期演奏募集情報転送手段は、前記同期演奏募集情報の閲覧要求信号を受信すると、当該同期演奏募集情報の閲覧要求信号を送信した前記応募者のパーソナル携帯端末に対して、前記登録された同期演奏募集情報を転送し、
前記同期演奏募集情報受信手段は、前記中継サーバから、前記同期演奏募集情報を受信し、
前記同期演奏応募情報送信手段は、前記同期演奏募集情報に基づく同期演奏参加を希望する前記応募者のパーソナル携帯端末から、前記中継サーバに対して、同期演奏に応募する旨及び当該パーソナル携帯端末に紐付けされたカラオケ演奏端末の識別情報を含む同期演奏応募情報を送信し、
前記同期演奏情報送信手段は、前記同期演奏応募情報を受信した場合に、前記募集者のパーソナル携帯端末に紐付けされたカラオケ演奏端末に対して、同期演奏を実施する旨及び前記応募者のパーソナル携帯端末に紐付けされたカラオケ演奏端末の識別情報を含む同期演奏情報を送信すると共に、前記応募者のパーソナル携帯端末に紐付けされたカラオケ演奏端末に対して、同期演奏を実施する旨及び前記募集者のパーソナル携帯端末に紐付けされたカラオケ演奏端末の識別情報を含む同期演奏情報を送信し、
前記同期演奏情報表示手段は、前記同期演奏情報を受信すると、各カラオケ演奏端末において、前記同期演奏情報を表示し、
前記同期演奏モード移行手段は、前記同期演奏情報を受信した各カラオケ演奏端末を同期演奏モードに移行させ、
前記同期演奏情報取得手段は、前記表示された同期演奏情報を取得して所定の記憶領域に記憶し、
前記選曲予約情報送信手段は、前記募集者又は前記応募者のいずれか一方のパーソナル携帯端末から、前記中継サーバに対して、前記所定の記憶領域に記憶した同期演奏情報と、当該パーソナル携帯端末に紐付けされたカラオケ演奏端末の識別情報と、選曲楽曲の楽曲ＩＤを含む選曲予約情報を送信し、
前記データ到達時間計測記憶手段は、前記各カラオケ演奏端末に対してデータ到達時間確認信号を送信すると共に、前記各カラオケ演奏端末から、当該データ到達時間確認信号に対する応答信号が返信されてくるまでの時間を計測して、当該計測時間に基づいて各カラオケ演奏端末におけるデータ到達時間を記憶し、
前記選曲予約情報中継手段は、前記データ到達時間のうち、最も長いデータ到達時間と他のデータ到達時間との差分時間に応じて、前記データ到達時間が最も長いカラオケ演奏端末から降順に順次遅延させて、前記選曲予約情報に含まれる識別情報を有する各カラオケ演奏端末に当該選曲予約情報を送信する、
ことを特徴とするカラオケ同期演奏システム。
【請求項２】
同期演奏応募者存在情報送信手段と、同期演奏応募者存在情報表示手段と、同期演奏許諾情報送信手段と、同期演奏情報送信許可手段と、をさらに備え、
前記同期演奏応募者存在情報送信手段と、前記同期演奏情報送信許可手段は、前記中継サーバの機能として実現され、前記同期演奏許諾情報送信手段は、前記パーソナル携帯端末の機能として実現され、前記同期演奏応募者存在情報表示手段は、前記カラオケ演奏端末の機能として実現され、
前記同期演奏応募者存在情報送信手段は、前記応募者のパーソナル携帯端末から同期演奏応募情報を受信した場合に、前記募集者のパーソナル携帯端末に紐付けされたカラオケ演奏端末に当該同期演奏応募者存在情報を送信し、
前記同期演奏応募者存在情報表示手段は、前記募集者のパーソナル携帯端末に紐付けされたカラオケ演奏端末において、前記同期演奏応募者存在情報を表示させ、
前記同期演奏許諾情報送信手段は、前記募集者が前記同期演奏応募者存在情報に基づく同期演奏参加の許諾を指示した場合に、同期演奏許諾情報を送信し、
前記同期演奏情報送信許可手段は、前記同期演奏許諾情報を受信した場合に、前記同期演奏情報送信手段における同期演奏情報の送信を許可する、
ことを特徴とする請求項１に記載のカラオケ同期演奏システム。
【請求項３】
前記データ到達時間計測記憶手段は、所定のタイミング毎に、前記カラオケ演奏端末におけるデータ到達時間を計測して記憶することを特徴とする請求項１又は２に記載のカラオケ同期演奏システム。
【発明の詳細な説明】
【技術分野】
【０００１】
本発明は、カラオケ同期演奏システムに関するものであり、詳しくは、パーソナル携帯端末を選曲予約用のリモコン装置として使用し、ネットワーク接続された少なくとも２つのカラオケ演奏端末を同期させて、同一のカラオケ楽曲を略同時に演奏することが可能なシステムに関するものである。
【背景技術】
【０００２】
ネットワーク接続された複数のカラオケ演奏端末において、同一のカラオケ楽曲を同時期に演奏することができる技術が開発されている（例えば、特許文献１、特許文２参照）。特許文献１に記載された技術は、コンピュータを内蔵したカラオケ装置を、複数台連ねてホストコンピュータに接続し、コンピュータは、通信制御装置、ＣＰＵ、採点部、Ｉ／Ｏインタフェースを備えており、再生装置が接続されている。また、再生装置には、曲目選択装置、アンプ、スピーカ、マイク、ディスプレイが接続されている。カラオケ装置を、ホストコンピュータの通信制御装置を介してＣＰＵに接続し、ＣＰＵには、Ｉ／Ｏインタフェースを介して採点結果格納部、アクセス制御部、採点表作成部、同期演奏制御部を接続することにより、カラオケ装置相互間で採点結果を比較するようになっている。
【０００３】
また、特許文献２に記載された技術は、ネットワークセッションにおいて通信遅延による演奏の違和感を緩和することを目的とした技術である。この特許文献２に記載されたセッション端末は、演奏情報を再生するための演奏再生手段と、他のセッション端末と通信するための通信手段と、バック演奏情報の再生を指示するバック演奏指示手段と、バック演奏指示手段により再生が指示されたバック演奏情報を、通信手段を通じて他のセッション端末に送信すると共に、当該再生が指示された後、他のセッション端末との間の通信遅延時間に相当するモニター遅延時間だけ経過したときに、演奏再生手段に当該バック演奏情報の再生を開始させるバック演奏制御手段と、ユーザの演奏に基づくユーザ演奏情報を入力するユーザ演奏入力手段と、ユーザ演奏入力手段により入力されたユーザ演奏情報を通信手段を通じて他のセッション端末に送信すると共に、当該ユーザ演奏情報及び他のセッション端末から通信手段を通じて受信された他のユーザ演奏情報を演奏再生手段に再生させるユーザ演奏制御手段とを備えている。
【先行技術文献】
【特許文献】
【０００４】
【特許文献１】特開平７−２１０１８２号公報
【特許文献２】特開２０１１−２４２５６０号公報
【発明の概要】
【発明が解決しようとする課題】
【０００５】
しかしながら、パーソナル携帯端末を選曲予約用のリモコン装置として使用するシステムにおいて、ネットワーク接続された少なくとも２つのカラオケ演奏端末を同期演奏させ、同一のカラオケ楽曲を同時に演奏するためには、各カラオケ演奏端末とペアリングされたパーソナル携帯端末における選曲予約機能を拡張する必要があり、このような選曲予約及び同期演奏開始に関する技術は開発されていない。さらに、例えばデュエット曲を別個のカラオケ演奏端末で同時に演奏して歌唱を楽しむためには、各カラオケ演奏端末の利用者が違和感を覚えないように、それぞれのカラオケ演奏端末における演奏開始タイミングを略一致させる必要がある。
【０００６】
また、ネットワークで接続された複数のカラオケ演奏端末では、例えば、演奏開始を指示するためのサーバから演奏開始信号を同時に送信したとしても、当該演奏開始信号が各カラオケ演奏端末に同時に届かない場合がある。すなわち、演奏開始信号は、サーバと各カラオケ演奏端末との間における通信回線のトラフィックや、各カラオケ演奏端末が接続されたネットワーク環境（例えば、ＬＡＮ装置）のデータ処理能力等に応じて、その到達時間が変化するのが一般的である。
【０００７】
なお、特許文献２に記載された技術は、ネットワークセッションシステムにおいて、各セッション端末における通信遅延を解消することを目的としているが、パーソナル携帯端末を選曲予約用のリモコン装置として使用することを前提として、ネットワーク接続された少なくとも２つのカラオケ演奏端末において、同期演奏の募集者及び応募者をマッチングさせて同期演奏を行うことについては何ら記載されていないため、この技術をそのまま本発明に適用することはできない。さらに、ネットワークにおけるデータ到達時間は、通信回線のトラフィック等に応じて時々刻々と変換するのが一般的であるが、特許文献２に記載された技術は、この点についてなんら考慮されていない。
【０００８】
本発明は、上述した事情に鑑み提案されたもので、パーソナル携帯端末を選曲予約用のリモコン装置として使用し、ネットワークにおけるデータ到達時間を考慮して、ネットワーク接続された少なくとも２つのカラオケ演奏端末を同期させて、同一のカラオケ楽曲を略同時に演奏することが可能なシステムを提供することを目的とする。
【課題を解決するための手段】
【０００９】
本発明のカラオケ同期演奏システムは、上述した目的を達成するため、以下の特徴点を有している。すなわち、本発明のカラオケ同期演奏システムは、利用者が所持するパーソナル携帯端末から入力された選曲予約情報を中継サーバで中継することにより、各カラオケ演奏端末においてカラオケ楽曲の選曲予約を行う機能を有し、ネットワーク接続された少なくとも２つのカラオケ演奏端末を同期させて、同一のカラオケ楽曲を同時に演奏することが可能な同期演奏モードを備えている。
【００１０】
このカラオケ同期演奏システムは、同期演奏募集情報送信手段と、同期演奏募集情報登録手段と、閲覧要求信号送信手段と、閲覧要求信号受信手段と、同期演奏募集情報転送手段と、同期演奏募集情報受信手段と、同期演奏応募情報送信手段と、同期演奏情報送信手段と、同期演奏情報表示手段と、同期演奏モード移行手段と、同期演奏情報取得手段と、選曲予約情報送信手段と、選曲予約情報中継手段と、データ到達時間計測記憶手段とを備えことを特徴とするものである。
【００１１】
同期演奏募集情報送信手段と、閲覧要求信号送信手段と、同期演奏募集情報受信手段と、同期演奏応募情報送信手段と、同期演奏情報取得手段と、選曲予約情報送信手段は、パーソナル携帯端末の機能として実現される。同期演奏募集情報登録手段と、閲覧要求信号受信手段と、同期演奏募集情報転送手段と、同期演奏情報送信手段と、データ到達時間計測記憶手段と、選曲予約情報中継手段は、中継サーバの機能として実現される。同期演奏情報表示手段と、同期演奏モード移行手段は、カラオケ演奏端末の機能として実現される。
【００１２】
同期演奏募集情報送信手段は、募集者のパーソナル携帯端末から、中継サーバに対して、同期演奏応募者を募る旨及び当該パーソナル携帯端末に紐付けされたカラオケ演奏端末の識別情報を含む同期演奏募集情報を送信するための手段である。同期演奏募集情報登録手段は、同期演奏募集情報を受信して、所定の格納領域に登録（記憶）するための手段である。
【００１３】
閲覧要求信号送信手段は、応募者のパーソナル携帯端末から、中継サーバに対して、同期演奏募集情報の閲覧要求信号を送信するための手段である。同期演奏募集情報転送手段は、同期演奏募集情報の閲覧要求信号を受信すると、当該同期演奏募集情報の閲覧要求信号を送信した応募者のパーソナル携帯端末に対して、登録された同期演奏募集情報を転送するための手段である。
【００１４】
同期演奏募集情報受信手段は、中継サーバから、同期演奏募集情報を受信するための手段である。同期演奏応募情報送信手段は、同期演奏募集情報に基づく同期演奏参加を希望する応募者のパーソナル携帯端末から、中継サーバに対して、同期演奏に応募する旨及び当該パーソナル携帯端末に紐付けされたカラオケ演奏端末の識別情報を含む同期演奏応募情報を送信するための手段である。
【００１５】
同期演奏情報送信手段は、同期演奏応募情報を受信した場合に、募集者のパーソナル携帯端末に紐付けされたカラオケ演奏端末に対して、同期演奏を実施する旨及び応募者のパーソナル携帯端末に紐付けされたカラオケ演奏端末の識別情報を含む同期演奏情報を送信すると共に、応募者のパーソナル携帯端末に紐付けされたカラオケ演奏端末に対して、同期演奏を実施する旨及び募集者のパーソナル携帯端末に紐付けされたカラオケ演奏端末の識別情報を含む同期演奏情報を送信するための手段である。
【００１６】
同期演奏情報表示手段は、同期演奏情報を受信すると、各カラオケ演奏端末において、同期演奏情報を表示するための手段である。同期演奏モード移行手段は、同期演奏情報を受信した各カラオケ演奏端末を同期演奏モードに移行させるための手段である。同期演奏情報取得手段は、表示された同期演奏情報を取得して所定の記憶領域に記憶するための手段である。
【００１７】
選曲予約情報送信手段は、募集者又は応募者のいずれか一方のパーソナル携帯端末から、中継サーバに対して、所定の記憶領域に記憶した同期演奏情報と、当該パーソナル携帯端末に紐付けされたカラオケ演奏端末の識別情報と、選曲楽曲の楽曲ＩＤを含む選曲予約情報を送信するための手段である。
【００１８】
データ到達時間計測記憶手段は、各カラオケ演奏端末に対してデータ到達時間確認信号を送信すると共に、各カラオケ演奏端末から、当該データ到達時間確認信号に対する応答信号が返信されてくるまでの時間を計測して、当該計測時間に基づいて各カラオケ演奏端末におけるデータ到達時間を記憶するための手段である。また、データ到達時間計測記憶手段は、所定のタイミング毎（例えば、選曲予約情報を受信する毎）に、カラオケ演奏端末におけるデータ到達時間を確認することが好ましい。
【００１９】
選曲予約情報中継手段は、データ到達時間のうち、最も長いデータ到達時間と他のデータ到達時間との差分時間に応じて、データ到達時間が最も長いカラオケ演奏端末から降順に順次送信タイミングを遅延させて、受信した選曲予約情報に含まれる識別情報を有する各カラオケ演奏端末に当該選曲予約情報を送信するための手段である。
【００２０】
本発明のカラオケ同期演奏システムは、上述した構成に加えて、同期演奏応募者存在情報送信手段と、同期演奏応募者存在情報表示手段と、同期演奏許諾情報送信手段と、同期演奏情報送信許可手段とをさらに備えることが可能である。
【００２１】
同期演奏応募者存在情報送信手段と、同期演奏情報送信許可手段は、中継サーバの機能として実現される。同期演奏許諾情報送信手段は、パーソナル携帯端末の機能として実現される。同期演奏応募者存在情報表示手段は、カラオケ演奏端末の機能として実現される。
【００２２】
同期演奏応募者存在情報送信手段は、応募者のパーソナル携帯端末から同期演奏応募情報を受信した場合に、募集者のパーソナル携帯端末に紐付けされたカラオケ演奏端末に当該同期演奏応募者存在情報を送信するための手段である。同期演奏応募者存在情報表示手段は、募集者のパーソナル携帯端末に紐付けされたカラオケ演奏端末において、同期演奏応募者存在情報を表示させるための手段である。同期演奏許諾情報送信手段は、募集者が当該同期演奏応募者存在情報に基づく同期演奏参加の許諾を指示した場合に、中継サーバに対して、同期演奏許諾情報を送信するための手段である。
【００２３】
同期演奏情報送信許可手段は、同期演奏許諾情報を受信した場合に、同期演奏情報送信手段における同期演奏情報の送信を許可するための手段である。
【発明の効果】
【００２４】
本発明のカラオケ同期演奏システムによれば、パーソナル携帯端末を選曲予約用のリモコン装置として使用し、同期演奏の募集者又は応募者のいずれか一方のパーソナル携帯端末で予約操作を行うことにより、募集者及び応募者の双方のカラオケ演奏端末において、同一のカラオケ楽曲について選曲予約を行うことができると共に、ネットワークにおけるデータ到達時間を考慮して、当該カラオケ楽曲を略同時に演奏開始させることができる。
【００２５】
すなわち、本発明のカラオケ同期演奏システムを利用することにより、ネットワーク接続された少なくとも２つのカラオケ演奏端末を同期させて、同一のカラオケ楽曲を同時に演奏する際に、ネットワークにおけるデータ到達時間の差を解消することにより、各カラオケ演奏端末の利用者が違和感を覚えないように、それぞれのカラオケ演奏端末における演奏開始タイミングを略一致させることができる。これにより、例えばデュエット曲を別個のカラオケ演奏端末で同時に演奏して歌唱を楽しむことができる。
【図面の簡単な説明】
【００２６】
【図１】本発明の実施形態に係るカラオケ同期演奏システムの構成を示すブロック図。
【図２】本発明の実施形態に係るカラオケ同期演奏システムにおける同期演奏の手順を示すタイミングチャート。
【発明を実施するための形態】
【００２７】
以下、図面を参照して、本発明のカラオケ同期演奏システムの実施形態について説明する。図１及び図２は本発明の実施形態に係るカラオケ同期演奏システムを示すもので、図１はカラオケ同期演奏システムのブロック図、図２は同期演奏の手順を示すタイミングチャートである。
【００２８】
本発明の実施形態に係るカラオケ同期演奏システムは、同期演奏応募者の設定を行うと共に同期演奏を実行するための手段として、図１に示すように、同期演奏募集情報送信手段６５と、同期演奏募集情報登録手段４３と、閲覧要求信号送信手段６６と、閲覧要求信号受信手段４４と、同期演奏募集情報転送手段４５と、同期演奏募集情報受信手段６７と、同期演奏応募情報送信手段６８と、同期演奏情報送信手段４６と、同期演奏情報表示手段１０１と、同期演奏モード移行手段１０２と、同期演奏情報取得手段６９と、選曲予約情報送信手段６１と、選曲予約情報中継手段４７と、データ到達時間計測記憶手段４８とを備えている。
【００２９】
同期演奏募集情報送信手段６５と、閲覧要求信号送信手段６６と、同期演奏募集情報受信手段６７と、同期演奏応募情報送信手段６８と、同期演奏情報取得手段６９と、選曲予約情報送信手段６１は、パーソナル携帯端末６０の機能として実現される。
【００３０】
同期演奏募集情報登録手段４３と、閲覧要求信号受信手段４４と、同期演奏募集情報転送手段４５と、同期演奏情報送信手段４６と、選曲予約情報中継手段４７と、データ到達時間計測記憶手段４８は、中継サーバ４０の機能として実現される。
【００３１】
同期演奏情報表示手段１０１と、同期演奏モード移行手段１０２は、カラオケ演奏端末８０の機能として実現される。
【００３２】
また、本実施形態のカラオケ同期演奏システム１０は、図１に示すように、同期演奏応募者存在情報送信手段４９と、同期演奏応募者存在情報表示手段１０３と、同期演奏許諾情報送信手段７０と、同期演奏情報送信許可手段５０とをさらに備えることが可能である。
【００３３】
同期演奏応募者存在情報送信手段４９と、同期演奏情報送信許可手段５０は、中継サーバ４０の機能として実現され、同期演奏許諾情報送信手段７０は、パーソナル携帯端末６０の機能として実現され、同期演奏応募者存在情報表示手段１０３は、カラオケ演奏端末８０の機能として実現される。なお、本実施形態において、付加的手段である同期演奏応募者存在情報送信手段４９、同期演奏情報送信許可手段５０、同期演奏許諾情報送信手段７０、同期演奏応募者存在情報表示手段１０３は、図１のブロック図において、破線で示している。各手段の機能については、後に詳述する。
【００３４】
＜カラオケ同期演奏システム＞
本発明の実施形態に係るカラオケ同期演奏システム１０は、図１に示すように、中継サーバ４０と複数のカラオケ演奏端末８０とが通信ネットワーク２０（本実施形態では、インターネット）を介して相互に接続されている。通信ネットワーク２０は、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネットにより構成されるＶＰＮを利用することが好ましい。
【００３５】
＜中継サーバ＞
中継サーバ４０は、パーソナル携帯端末６０を利用した選曲予約や、同期演奏に関する情報の中継を行う中継サーバ４０であり、図１に示すように、サーバ制御手段４１、送受信手段４２、同期演奏募集情報登録手段４３、閲覧要求信号受信手段４４、同期演奏募集情報転送手段４５、同期演奏情報送信手段４６、選曲予約情報中継手段４７、データ到達時間計測記憶手段４８を備えている。さらに、本実施形態では、中継サーバ４０の機能手段として、同期演奏応募者存在情報送信手段４９、同期演奏情報送信許可手段５０を備えることが可能である。なお、他の機能を有するサーバに中継サーバ４０としての機能を持たせてもよい。この場合、サーバの仮想化技術等を用いることができる。
【００３６】
＜サーバ制御手段／送受信手段＞
サーバ制御手段４１は、中継サーバ４０を統括的に制御するための手段であり、ＣＰＵ及びその周辺機器を含んで構成され、ＣＰＵ等がＲＯＭ等に格納されたプログラムに従って動作することにより制御機能を発揮するようになっている。送受信手段４２は、各カラオケ演奏端末８０との間で、各種データの送受信を行うための手段であり、通信ネットワーク２０（インターネット）における通信方式の整合性を保つための通信回路やプログラムにより構成される。
【００３７】
＜同期演奏募集情報登録手段＞
同期演奏募集情報登録手段４３は、募集者のパーソナル携帯端末６０から同期演奏募集情報を受信して、所定の格納領域に登録するためのプログラムからなる。すなわち、同期演奏募集情報登録手段４３は、同期演奏を希望する利用者（募集者）のパーソナル携帯端末６０から送信されてきた同期演奏募集情報を受信して、当該同期演奏募集情報を所定の格納領域（例えばＨＤＤ）に登録する（記憶する）。また、同期演奏募集情報登録手段４３では、同期演奏募集情報を受信すると、この同期演奏募集情報を所定の公開領域において公開してもよい。例えば、中継サーバ４０において同期演奏募集ページを設定し、この同期演奏募集ページにおいて、同期演奏モードへ移行する利用者を募る旨の情報等を表示することができる。
【００３８】
＜閲覧要求信号受信手段＞
閲覧要求信号受信手段４４は、応募者のパーソナル携帯端末６０から同期演奏募集情報の閲覧要求信号を受信するためのプログラムからなる。すなわち、応募者となる利用者は、中継サーバ４０に対して、同期演奏募集情報の閲覧要求信号を送信することにより、同期演奏の募集者の存在確認を行うことができると共に、同期演奏の募集者が存在する場合には、その情報を取得することができる。
【００３９】
＜同期演奏募集情報転送手段＞
同期演奏募集情報転送手段４５は、同期演奏募集情報の閲覧要求信号を受信すると、当該同期演奏募集情報の閲覧要求信号を送信した応募者のパーソナル携帯端末６０に対して、登録された同期演奏募集情報を転送するためのプログラムからなる。すなわち、同期演奏への参加を希望する応募者からの閲覧要求信号を受信した場合に、当該応募者のパーソナル携帯端末６０に同期演奏募集情報を転送することにより、当該応募者は、同期演奏の募集に関する種々の情報を得ることができる。
【００４０】
＜同期演奏情報送信手段＞
同期演奏情報送信手段４６は、同期演奏応募情報を受信した場合に、募集者のパーソナル携帯端末６０に紐付けされたカラオケ演奏端末８０に対して、同期演奏を実施する旨及び応募者のパーソナル携帯端末６０に紐付けされたカラオケ演奏端末８０の識別情報（携帯端末ＩＤ）を含む同期演奏情報を送信すると共に、応募者のパーソナル携帯端末６０に紐付けされたカラオケ演奏端末８０に対して、同期演奏を実施する旨及び募集者のパーソナル携帯端末６０に紐付けされたカラオケ演奏端末８０の識別情報（携帯端末ＩＤ）を含む同期演奏情報を送信するためのプログラムからなる。すなわち、同期演奏情報には、同期演奏を実施する旨と、募集者又は応募者のパーソナル携帯端末６０に紐付けされたカラオケ演奏端末８０の識別情報（携帯端末ＩＤ）とが含まれており、当該同期演奏情報を取得した利用者（応募者又は利用者）のパーソナル携帯端末６０を用いて選曲予約を行うと、同期演奏に参加する利用者（応募者又は利用者）のカラオケ演奏端末８０において同期演奏を実施することができる。
【００４１】
＜データ到達時間計測記憶手段＞
データ到達時間計測記憶手段４８は、各カラオケ演奏端末８０に対してデータ到達時間確認信号を送信すると共に、各カラオケ演奏端末８０から、当該データ到達時間確認信号に対する応答信号が返信されてくるまでの時間に基づいて、各カラオケ演奏端末８０におけるデータ到達時間を計測して記憶するためのプログラムからなる。すなわち、このデータ到達時間計測記憶手段４８は、中継サーバ４０と、各カラオケ演奏端末８０との間における通信回線のトラフィックや、各カラオケ演奏端末８０が接続されたネットワーク環境（例えば、ＬＡＮ装置）のデータ処理能力等に応じて変化するデータ到達時間を把握するための手段である。
【００４２】
具体的には、いわゆるｐｉｎｇｉｎｇ処理により、中継サーバ４０から各カラオケ演奏端末８０のＩＰアドレスに対して、エコー要求のためのＩＣＰＭパケット「Ｅｃｈｏ  Ｒｅｑｕｅｓｔ」を送信する。ＩＣＰＭパケット「Ｅｃｈｏ  Ｒｅｑｕｅｓｔ」を受信した各カラオケ端末８０では、中継サーバ４０のＩＰアドレスに対して、エコー応答のためのＩＣＰＭパケットパケット「ＩＣＰＭ  Ｅｃｈｏ  Ｒｅｐｌｙ  Ｍｅｓｓａｇｅ」を返信する。中継サーバ４０では、「Ｅｃｈｏ  Ｒｅｑｕｅｓｔ」を送信した時点でタイムカウントを開始し、「ＩＣＰＭ  Ｅｃｈｏ  Ｒｅｐｌｙ  Ｍｅｓｓａｇｅ」を受信した時点でタイムカウントを終了する。これにより、中継サーバ４０では、各カラオケ演奏端末８０との間におけるデータ到達時間を計測することができる。
【００４３】
なお、ＩＣＰＭパケットの送受信により得られるデータ到達時間は、中継サーバ４０と各カラオケ演奏端末８０との間をＩＣＰＭパケットが往復した時間である。したがって、本実施形態で使用するデータ到達時間は、ＩＣＰＭパケットの送受信により得られるデータ到達時間の１／２ということになる。
【００４４】
また、中継サーバ４０と、各カラオケ演奏端末８０との間における通信回線のトラフィックは時々刻々変化するものである。したがって、データ到達時間の確認は、所定のタイミング毎に行うことが好ましい。例えば、選曲予約情報を送信する毎に、データ到達時間の確認を行えばよい。
【００４５】
＜選曲予約情報中継手段＞
選曲予約情報中継手段４７は、データ到達時間のうち、最も長いデータ到達時間と他のデータ到達時間との差分時間に応じて、データ到達時間が最も長いカラオケ演奏端末から降順に順次遅延させて、受信した選曲予約情報に含まれる識別情報（演奏端末ＩＤ）を有する各カラオケ演奏端末８０に当該選曲予約情報を送信するためのプログラムからなる。
【００４６】
すなわち、中継サーバ４０では、データ到達時間計測記憶手段４８の機能により、同期演奏モードに移行した各カラオケ演奏端末８０との間の到達遅延時間を記憶しており、選曲予約情報を各カラオケ演奏端末８０に中継して演奏を開始させる際に、各カラオケ演奏端末８０との間のデータ到達時間に応じて、各カラオケ演奏端末８０における演奏開始タイミングをずらすことにより、同期演奏モードに移行しているすべてのカラオケ演奏端末８０において、略同時にカラオケ楽曲の演奏を開始することができる。
【００４７】
例えば、カラオケ演奏端末（１）とカラオケ演奏端末（２）とが同期演奏モードに移行しており、カラオケ演奏端末（１）のデータ到達時間が１０ｍｓｅｃ（ｐｉｎｇ応答時間は２０ｍｓｅｃ）であり、カラオケ演奏端末（２）のデータ到達時間が２０ｍｓｅｃ（ｐｉｎｇ応答時間は４０ｍｓｅｃ）であったと仮定する。この場合、カラオケ演奏端末（１）とカラオケ演奏端末（２）とにおいて、データ到達時間の差分時間は１０ｍｓｅｃとなる。
【００４８】
したがって、まず初めに、データ到達時間が最も長いカラオケ演奏端末（２）に対して演奏開始信号を送信し、当該演奏開始信号を送信したタイミングから１０ｍｓｅｃ経過後に、カラオケ演奏端末（１）に対して演奏開始信号を送信する。これにより、カラオケ演奏端末（１）及びカラオケ演奏端末（２）において、略同時にカラオケが曲の演奏を開始することができる。カラオケ演奏端末８０が複数ある場合にも、同様の処理を行うことにより、同期演奏モードに移行しているすべてのカラオケ演奏端末８０において、略同時にカラオケ楽曲の演奏を開始することができる。
【００４９】
＜同期演奏応募者存在情報送信手段＞
同期演奏応募者存在情報送信手段４９は、応募者のパーソナル携帯端末６０から同期演奏応募情報を受信した場合に、募集者のパーソナル携帯端末６０に紐付けされたカラオケ演奏端末８０に当該同期演奏応募情報を送信するためのプログラムからなる。この同期演奏応募者存在情報送信手段４９の機能により、同期演奏への応募者が存在した場合に、当該応募者の存在を募集者に告知すると共に、当該応募者が同期演奏に参加することを許可するか否かを判断するための情報を提供することができる。
【００５０】
＜同期演奏情報送信許可手段＞
同期演奏情報送信許可手段５０は、募集者のパーソナル携帯端末６０から同期演奏許諾情報を受信した場合に、同期演奏情報送信手段４６における同期演奏情報の送信を許可するためのプログラムからなる。すなわち、同期演奏情報送信許可手段５０は、同期演奏応募者存在情報送信手段４９、同期演奏応募者存在情報表示手段１０３、同期演奏許諾情報送信手段７０と協働して機能する手段であり、上述したように、同期演奏の募集者に対して、応募者による同期演奏への参加を許可するか否かを判断させる場合に機能する手段である。
【００５１】
＜カラオケ演奏端末＞
カラオケ演奏端末８０は、図１に示すように、カラオケ本体８１、スピーカ８２、マイクロホン８３、表示装置８４、ミキシングアンプ８５を備えている。なお、本発明の実施形態に係るカラオケ演奏端末８０は、パーソナル携帯端末６０を選曲予約用のリモコン装置として利用するが、パーソナル携帯端末６０を用いない利用者のために、専用のカラオケリモコン装置８６を備えていてもよい。また、本実施形態では、カラオケリモコン装置８６に付帯する入出力表示部（図示せず）は、同期演奏情報を表示するための表示装置８４として機能させることができる。
【００５２】
＜カラオケ本体＞
カラオケ本体８１は、図１に示すように、ネットワーク送受信手段９１、中央制御手段９２、ＲＯＭ９３、ＲＡＭ９４、ＨＤＤ９５、ローカル送受信手段９６、予約管理手段９７、音楽再生制御手段９８、Ａ／Ｄコンバータ９９、映像再生制御手段１００、同期演奏情報表示手段１０１、同期演奏モード移行手段１０２を備えている。また、本実施形態のカラオケ本体８１は、同期演奏応募者存在情報表示手段１０３をさらに備えている。
【００５３】
＜中央制御手段＞
中央制御手段９２は、カラオケ本体８１を総合的に制御するための手段であり、例えばＣＰＵ及びその周辺機器により構成されており、ＣＰＵ等がＲＯＭ９３等に記憶されたプログラムに従って動作することにより、制御機能を発揮することができるようになっている。
【００５４】
＜ＲＯＭ／ＲＡＭ＞
ＲＯＭ９３は、カラオケ本体８１を構成する各機器を制御するためのプログラムデータや数値データを記憶するための機器で、例えば半導体メモリ等で構成される。また、ＲＡＭ９４は、プログラムや各種データを一時的に記憶する一時記憶領域として機能するもので、例えば半導体メモリ等で構成される。なお、物理的な半導体メモリによりＲＡＭ９４を構成するのではなく、ハードディスク記憶装置等を用いて仮想的なＲＡＭ９４を構成してもよい。本実施形態では、ＲＡＭ９４に、予約待ち行列９４ａが記憶されるようになっている。
【００５５】
＜予約待ち行列＞
予約待ち行列９４ａは、選曲予約されたカラオケ楽曲について、演奏順に楽曲ＩＤを並べて構成したデータテーブルである。なお、予約待ち行列９４ａは、楽曲ＩＤの他に、楽曲名、選曲者等のデータを含んでいてもよい。
【００５６】
＜ＨＤＤ＞
ＨＤＤ９５は、大容量記憶装置として機能するもので、楽曲データベース９５ａ及び映像データベース９５ｂが格納されている。なお、ＨＤＤ９５に替えて、あるいはＨＤＤ９５と共に、データを書き替え可能なＤＶＤ等の大容量記憶装置を用いてもよい。
【００５７】
＜楽曲データベース／映像データベース＞
楽曲データベース９５ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース９５ｂは、演奏されるカラオケ楽曲に対応した背景映像を、当該カラオケ楽曲の楽曲ＩＤに対応させた映像ファイルとして所定数格納したデータベースである。
【００５８】
＜送受信手段＞
ローカル送受信手段９６は、カラオケ本体８１とカラオケリモコン装置８６との間で、データの送受信を行うための電子回路及びプログラムからなる。本実施形態では、赤外線通信により、カラオケ本体８１とカラオケリモコン装置８６との間でデータの送受信が行われる。ネットワーク送受信手段９１は、カラオケ本体８１と中継サーバ４０との間で、データの送受信を行うための電子回路及びプログラムからなる。
【００５９】
＜予約管理手段＞
予約管理手段９７は、選曲予約された楽曲の楽曲ＩＤを演奏順に並べて予約待ち行列９４ａを生成し、この予約待ち行列９４ａをＲＡＭ９４に格納して管理するためのプログラムからなる。また、カラオケリモコン装置８６により選曲予約が行われた場合には、予約管理手段９７は、利用者によりカラオケリモコン装置８６の選曲機能を用いて選曲された楽曲の楽曲ＩＤを演奏順に並べて予約待ち行列９４ａを生成する。
【００６０】
＜音楽再生制御手段＞
音楽再生制御手段９８は、楽曲ＩＤに基づいて楽曲データベース９５ａから抽出された演奏制御データに基づいて、音源データをデジタル再生すると共にアナログ変換してミキシングアンプ８５に出力するための電子回路である。上述したように、ミキシングアンプ８５は、マイクロホン８３から入力された歌唱者の歌唱音声信号と、音楽再生制御手段９８から送出される演奏音声信号とをミキシングすると共に、アンプ機能により増幅してスピーカ８２より出力させるための装置である。
【００６１】
＜映像再生制御手段＞
映像再生制御手段１００は、カラオケ楽曲の演奏中に、映像データベース９５ｂから抽出した背景映像データと、楽曲データベース９５ａに含まれる歌詞描出データ（テロップデータ）とを、当該カラオケ楽曲の演奏データに同期させて表示装置８４に出力するためのプログラムからなる。
【００６２】
＜同期演奏情報表示手段＞
同期演奏情報表示手段１０１は、各カラオケ演奏端末８０において、中継サーバ４０から受信した同期演奏情報を表示するためのプログラムからなる。同期演奏情報は、募集者からの同期演奏募集情報に対して、当該同期演奏に参加を希望する応募者が存在する場合に生成される情報で、同期演奏を実施する旨と、募集者のパーソナル携帯６０に紐付けされたカラオケ演奏端末８０の識別情報（演奏端末ＩＤ）又は応募者のパーソナル携帯６０に紐付けされたカラオケ演奏端末８０の識別情報（演奏端末ＩＤ）とを含んでいる。なお、同期演奏情報は、２次元バーコード化して、表示装置８４の表示画面に表示することができる。
【００６３】
後に詳述するが、同期演奏の募集者及び応募者は、パーソナル携帯端末６０の同期演奏情報取得手段６９の機能により、当該同期演奏情報を取得することにより、選曲予約情報に同期演奏情報を含ませることができる。
【００６４】
＜同期演奏モード移行手段＞
同期演奏モード移行手段１０２は、同期演奏情報を受信した各カラオケ演奏端末８０を同期演奏モードに移行させるためのプログラムからなる。すなわち、カラオケ演奏端末８０が同期演奏情報を受信すると、ネットワーク接続された各カラオケ演奏端末８０では、同期演奏モード移行手段１０２の機能により同期演奏モードに移行し、同期演奏モードでは、各カラオケ演奏端末８０にて紐付けされたパーソナル携帯端末６０からの選曲予約のみを受け付け、楽曲演奏中は選曲予約を一切受け付けず、各カラオケ演奏端末８０にて演奏がなされていない期間に、各カラオケ演奏端末８０にて紐付けされたパーソナル携帯端末６０から受信した、選曲予約情報に基づくカラオケ楽曲の演奏を開始するため、同一のカラオケ楽曲を略同時に演奏開始することが可能となる。
【００６５】
これにより、同期演奏の募集者及び応募者のパーソナル携帯端末６０とペアリングされた各カラオケ演奏端末８０において、いずれかのパーソナル携帯端末６０から発信された演奏予約情報が、中継サーバ４０を介してネットワーク接続された各カラオケ演奏端末８０に同時に送信されることにより、同一のカラオケ楽曲が同時に演奏開始されるので、各カラオケ演奏端末８０の利用者は、デュエット等を楽しむことができる。
【００６６】
＜同期演奏応募者存在情報表示手段＞
同期演奏応募者存在情報表示手段１０３は、募集者に対して、応募者からの参加要請を許可するか否かを決定させる権限を与える場合に機能する手段である。すなわち、同期演奏応募者存在情報表示手段１０３は、応募者のパーソナル携帯端末６０から中継サーバ４０に対して同期演奏応募情報が送信され、当該同期演奏応募情報が募集者のパーソナル携帯端末６０とペアリングされたカラオケ演奏端末８０に送信された場合に、当該同期演奏応募情報を表示装置８４の表示画面に表示させるためのプログラムからなる。これにより、募集者は、応募者から参加要請があったことを認識することができる。
【００６７】
＜マイクロホン＞
マイクロホン８３は、歌唱音声の入力を行うための装置である。マイクロホン８３から入力された歌唱音声信号はミキシングアンプ８５に入力され、音楽再生制御手段９８から送出される演奏音声信号とミキシングされると共に増幅されてスピーカ８２へ出力される。また、マイクロホン８３から入力された歌唱音声信号はＡ／Ｄコンバータ９９によりデジタル変換されて、同期演奏モードにおいて、中継サーバ４０等を介して他のカラオケ演奏端末８０に送信される。これにより、同期演奏を行う他のカラオケ演奏端末８０において、同時に歌唱を行うことができる。
【００６８】
＜表示装置＞
表示装置８４は、カラオケ楽曲に関連した背景映像や歌詞テロップ等を表示するための装置で、例えば、液晶ディスプレイ等により構成される。本実施形態では、表示装置８４の表示画面に同期演奏情報が表示される。
【００６９】
＜パーソナル携帯端末＞
パーソナル携帯端末６０は、データ通信機能を用いて、モバイルＷＷＷ中継サーバ１１０に格納された選曲用アプリケーションソフト１１１をダウンロードし、この選曲用アプリケーションソフト１１１をインストールすることにより、選曲予約機能を持たせることができる。パーソナル携帯端末６０に選曲用アプリケーションソフト１１１をインストールすると、パーソナル携帯端末６０は、楽曲検索手段６４として機能するプログラムを備えて選曲を行えるようになる。
【００７０】
また、パーソナル携帯端末６０は、選曲予約情報送信手段６１、選曲した楽曲の楽曲ＩＤ６２ａ及び同期演奏情報６２ｂを記憶するためのメモリ６２、携帯電話網３０を介したデータの送受信を行うための送受信手段６３、楽曲検索手段６４、同期演奏募集情報送信手段６５、閲覧要求信号送信手段６６、同期演奏募集情報受信手段６７、同期演奏応募情報送信手段６８、同期演奏情報取得手段６９を備えている。また、本実施形態のパーソナル携帯端末６０は、同期演奏許諾情報送信手段７０を備えることが可能である。
【００７１】
パーソナル携帯端末６０と携帯電話網３０を介して接続されるモバイルＷＷＷ中継サーバ１１０には、選曲用アプリケーションソフト１１１及び楽曲索引データベース１１２が格納されており、パーソナル携帯端末６０が備える楽曲検索手段６４の機能により、楽曲索引データベース１１２を参照して楽曲を検索することができる。なお、楽曲索引データベース１１２をモバイルＷＷＷ中継サーバ１１０に格納するのではなく、パーソナル携帯端末６０にダウンロードして、ローカルで楽曲検索を行ってもよい。
【００７２】
＜楽曲検索手段／楽曲索引データベース＞
楽曲検索手段６４は、利用者の指示に基づき、楽曲索引データベース１１２を参照して楽曲を検索するためのプログラムからなる。楽曲索引データベース１１２は、カラオケ演奏端末８０で演奏に供されるカラオケ楽曲について、その属性情報を記述したデータベースであり、例えば、楽曲ＩＤ・曲名・歌手名・歌い出し部分の歌詞・流行時期・音楽ジャンル区分・デュエット曲か否かなど、種々の属性情報がこれに含まれている。
【００７３】
＜選曲予約情報送信手段＞
選曲予約情報送信手段６１は、同期演奏の募集者又は応募者のいずれか一方のパーソナル携帯端末６０から、中継サーバ４０に対して、所定の記憶領域（メモリ６２）に記憶された同期演奏情報６２ｂ及び選曲楽曲の楽曲ＩＤ６３ａを含む選曲予約情報を送信するためのプログラムからなる。なお、選曲予約情報送信手段６１から送信される選曲予約情報は、パーソナル携帯端末６０の通信網（携帯電話網３０）及びインターネット２０を介して、中継サーバ４０へ送信される。
【００７４】
＜同期演奏募集情報送信手段＞
同期演奏募集情報送信手段６５は、募集者のパーソナル携帯端末６０から、中継サーバ４０に対して、同期演奏募集者を募る旨及び当該パーソナル携帯端末６０に紐付けされたカラオケ演奏端末８０の識別情報（演奏端末ＩＤ）を含む同期演奏募集情報を送信するためのプログラムからなる。すなわち、同期演奏を所望する利用者は、同期演奏募集情報を送信することにより、同期演奏への応募者を募ることができる。なお、選曲予約情報送信手段６１から送信される選曲予約情報は、パーソナル携帯端末６０の通信網（携帯電話網３０）及びインターネット２０を介して、中継サーバへ送信される。
【００７５】
この同期演奏募集情報送信手段６５は、パーソナル携帯端末６０に選曲用アプリケーションソフト１１１をインストールすることにより、パーソナル携帯端末６０の機能手段となるように構成することができる。同様に、同期演奏を行うための他の機能手段（閲覧要求信号送信手段６６、同期演奏募集情報受信手段６７、同期演奏応募情報送信手段６８、同期演奏情報取得手段６９、同期演奏許諾情報送信手段７０）の機能も、選曲用アプリケーションソフト１１１をインストールすることにより実現することができる。
【００７６】
なお、選曲用アプリケーションソフト１１１に同期演奏の機能を含ませるのではなく、同期演奏機能を有するアプリケーションソフトを別に用意し、パーソナル携帯端末６０に当該アプリケーションソフトをインストールすることにより、同期演奏を行うための機能手段を実現してもよい。
【００７７】
＜閲覧要求信号送信手段＞
閲覧要求信号送信手段６６は、応募者のパーソナル携帯端末６０から、中継サーバ４０に対して、同期演奏募集情報の閲覧要求信号を送信するためのプログラムからなる。すなわち、同期演奏に参加したい利用者は、同期演奏募集情報を閲覧することにより、募集が行われている同期演奏の情報を取得することができる。
【００７８】
＜同期演奏募集情報受信手段＞
同期演奏募集情報受信手段６７、応募者のパーソナル携帯端末６０において、中継サーバ４０に登録されている同期演奏募集情報を受信するためのプログラムからなる。すなわち、同期演奏に参加したい利用者は、閲覧した同期演奏募集情報の中から所望の同期演奏募集情報を受信することにより、当該同期演奏に参加することができる。
【００７９】
＜同期演奏応募情報送信手段＞
同期演奏応募情報送信手段６８は、同期演奏募集情報に基づく同期演奏参加を希望する応募者のパーソナル携帯端末６０から、中継サーバ４０に対して、同期演奏に応募する旨及び当該パーソナル携帯端末６０に紐付けされたカラオケ演奏端末８０の識別情報（演奏端末ＩＤ）を含む同期演奏応募情報を送信するためのプログラムからなる。中継サーバ４０では、募集者のパーソナル携帯端末６０から受信した同期演奏応募情報及び応募者のパーソナル携帯端末６０から受信した同期演奏応募情報に基づいて、同期演奏を行わせるための情報（同期演奏情報）を生成することができる。
【００８０】
＜同期演奏情報取得手段＞
同期演奏情報取得手段６９は、カラオケ演奏端末８０の同期演奏情報表示手段１０１の機能により、表示装置８４等に表示された同期演奏情報６２ｂを取得して所定の記憶領域（メモリ６２）に記憶するためのプログラムからなる。同期演奏の募集者及び応募者は、当該同期演奏情報６２ｂを用いて、各カラオケ演奏端末８０を同期演奏させることができる。
【００８１】
具体的には、同期演奏の応募者となる利用者（募集者及び応募者）の各パーソナル携帯端末６０とペアリングされたカラオケ演奏端末８０において、その表示装置８４の表示画面に２次元バーコード化された同期演奏情報６２ｂを表示し、同期演奏情報取得手段６９は、パーソナル携帯端末６０に付帯したバーコード読取装置（図示せず）を用いて同期演奏情報６２ｂを取得してメモリ６２に記憶する。なお、同期演奏情報６２ｂが所定桁数の数字からなる場合には、表示装置８４の表示画面を目視した利用者が、パーソナル携帯端末６０に付帯したテンキー等を用いて、当該数字を入力することにより、同期演奏情報６２ｂを取得してもよい。
【００８２】
＜同期演奏許諾情報送信手段＞
同期演奏許諾情報送信手段７０は、募集者に対して、応募者からの参加要請を許可するか否かを決定させる権限を与える場合に機能する手段である。すなわち、同期演奏許諾情報送信手段７０は、中継サーバ４０の同期演奏応募者存在情報送信手段４９の機能により、募集者に対して応募者が存在する旨の報知が行われた場合に、募集者が、応募者からの同期演奏応募情報に基づく同期演奏参加の許諾を指示すると、中継サーバ４０に対して同期演奏許諾情報を送信するプログラムからなる。
【００８３】
＜カラオケ楽曲の同期演奏＞
次に、図１及び図２を参照して、本実施形態のカラオケ同期演奏システム１０におけるカラオケ楽曲の同期演奏について説明する。
【００８４】
カラオケ楽曲の同期演奏を行うには、図２に示すように、同期演奏を希望する利用者（募集者）が、自ら所有するパーソナル携帯端末６０の同期演奏募集情報送信手段６５の機能により、同期演奏募集情報を中継サーバ４０に送信する（Ｓ１１）。同期演奏募集情報には、同期演奏モードへ移行することを希望する旨の情報及び当該パーソナル携帯端末６０に紐付けされたカラオケ演奏端末８０の識別情報（演奏端末ＩＤ）を含んでいる。
【００８５】
同期演奏募集情報を受信した中継サーバ４０では、同期演奏募集情報登録手段４３の機能により、当該同期演奏募集情報を登録して管理する（Ｓ１２）。同期演奏に参加することを希望する他の利用者（応募者）は、自ら所有するパーソナル携帯端末６０の閲覧要求信号送信手段６６の機能により、中継サーバ４０に対して閲覧要求信号を送信する（Ｓ１３）。応募者のパーソナル携帯端末６０から閲覧要求信号を受信した中継サーバ４０は（Ｓ１４）、登録管理している同期演奏募集情報を、当該応募者のパーソナル携帯端末６０に送信する（Ｓ１５）。応募者のパーソナル携帯端末６０が同期演奏募集情報を受信すると（Ｓ１６）、応募者は、同期演奏の募集状況を認識することができる。
【００８６】
そして、応募者が同期演奏への参加を所望する場合には、当該応募者のパーソナル携帯端末６０の同期演奏応募情報送信手段６８の機能により、中継サーバ４０に対して、参加を所望する同期演奏募集情報を特定して、自らのパーソナル携帯端末６０に紐付けされたカラオケ演奏端末８０の識別情報（演奏端末ＩＤ）を含む同期演奏応募情報を送信し（Ｓ１７）、中継サーバ４０では、当該同期演奏応募情報を受信する（Ｓ１８）。
【００８７】
ここで、募集者に対して、応募者からの参加要求を受け入れるか否かを判断させる場合には、中継サーバ４０の同期演奏応募者存在情報送信手段４９の機能により、当該募集者のパーソナル携帯端末６０に紐付けされたカラオケ演奏端末８０に対して、同期演奏応募者存在情報を送信する（Ｓ５０）。同期演奏応募者存在情報を受信したカラオケ演奏端末８０では、表示装置８４の表示画面に同期演奏応募者存在情報を表示して（Ｓ５１）、同期演奏への応募者が存在する旨を報知する。
【００８８】
そして、募集者が、応募者からの参加要求を受け入れる場合には、募集者のパーソナル携帯端末６０の同期演奏許諾情報送信手段７０の機能により、中継サーバ４０に対して、同期演奏許諾情報を送信する（Ｓ５２）。同期演奏許諾情報を受信した中継サーバ４０は（Ｓ５３）、同期演奏情報送信許可手段５０の機能により、同期演奏情報の送信を許可する。同期演奏情報の送信が許可されると、同期演奏情報送信手段４６の機能により、募集者及び応募者のパーソナル携帯端末６０と、各パーソナル携帯端末６０に紐付けされたカラオケ演奏端末８０に対して、同期演奏を実施させるための同期演奏情報を送信する（Ｓ１９）。なお、募集者に対して、応募者からの参加要求を受け入れるか否かを判断させない場合には、上述した各処理（Ｓ５０〜Ｓ５３）を省略して、募集者及び応募者のパーソナル携帯端末６０とペアリングされたカラオケ演奏端末８０に対して、同期演奏を実施させるための同期演奏情報を送信する（Ｓ１９）。
【００８９】
中継サーバ４０から同期演奏情報を受信した募集者及び応募者のパーソナル携帯端末６０と紐付けされたカラオケ演奏端末８０では、表示装置８４の表示画面に同期演奏情報を表示し（Ｓ２０−１、Ｓ２０−２）、各カラオケ演奏端末８０を同期演奏モードに移行させる（Ｓ２１−１、Ｓ２１−２）。また、募集者及び応募者は、それぞれパーソナル携帯端末６０の同期演奏情報取得手段６９の機能により、表示された同期演奏情報６２ｂを取得して（Ｓ２２−１、Ｓ２２−２）、メモリ６２に記憶する。これにより、同期演奏モードに移行した各カラオケ演奏端末８０において、募集者又は応募者からの選曲予約情報を受信して、同期演奏を開始させることができる。
【００９０】
すなわち、同期演奏モードに移行した各カラオケ演奏端末８０に紐付けされているパーソナル携帯端末６０のいずれかから、選曲予約情報送信手段６１の機能により、中継サーバ４０に対して選曲予約情報が送信されると（Ｓ２３）、中継サーバ４０では、当該選曲予約情報を受信する（Ｓ２４）。
【００９１】
また、中継サーバ４０は、データ到達時間計測記憶手段４８の機能により、各カラオケ演奏端末８０に対して、データ到達時間確認信号を送信する（Ｓ２５）。当該データ到達時間確認信号を受信した各カラオケ演奏端末８０は（Ｓ２６−１、Ｓ２６−２）、中継サーバ４０に対してデータ到達時間応答信号を送信する（Ｓ２７−１、Ｓ２７−２）。中継サーバ４０では、データ到達時間応答信号を受信して（Ｓ２８）、各カラオケ演奏端末のデータ到達時間を計測して記憶する（Ｓ２９）。
【００９２】
そして、選曲予約情報中継手段４７の機能により、データ到達時間のうち、最も長いデータ到達時間と他のデータ到達時間との差分時間に応じて、データ到達時間が最も長いカラオケ演奏端末から降順に順次送信タイミングを遅延させて、受信した選曲予約情報に含まれる識別情報を有する各カラオケ演奏端末に当該選曲予約情報を送信する（Ｓ３０）。
【００９３】
同期演奏モードに移行した各カラオケ演奏端末８０では、選曲予約情報受信手段１０６の機能により選曲予約情報を受信すると（Ｓ３１−１、Ｓ３１−２）、当該選曲予約情報に基づくカラオケ楽曲の演奏を開始させる（Ｓ３２−１、Ｓ３２−２）。
【００９４】
上述した実施形態では、説明を容易なものとするため、同期演奏の募集者及び応募者をそれぞれ一人ずつとしているが、同期演奏の募集者及び応募者は複数存在してもよく、この場合にも、上述した各手段の機能により、任意の応募者の同期演奏希望に対して、複数の応募者が応募することができる。
【００９５】
＜他の実施形態＞
本発明のカラオケ同期演奏システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００９６】
１０  カラオケ同期演奏システム
２０  通信ネットワーク（インターネット）
３０  携帯電話網
４０  中継サーバ
４１  サーバ制御手段
４２  送受信手段
４３  同期演奏募集情報登録手段
４４  閲覧要求信号受信手段
４５  同期演奏募集情報転送手段
４６  同期演奏情報送信手段
４７  選曲予約情報中継手段
４８  データ到達時間計測記憶手段
４９  同期演奏応募者存在情報送信手段
５０  同期演奏情報送信許可手段
６０  パーソナル携帯端末
６１  選曲予約情報送信手段
６２  メモリ
６２ａ  楽曲ＩＤ
６２ｂ  同期演奏情報
６３  送受信手段
６４  楽曲検索手段
６５  同期演奏募集情報送信手段
６６  閲覧要求信号送信手段
６７  同期演奏募集情報受信手段
６８  同期演奏応募情報送信手段
６９  同期演奏情報取得手段
７０  同期演奏許諾情報送信手段
８０  カラオケ演奏端末
８１  カラオケ本体
８２  スピーカ
８３  マイクロホン
８４  表示装置
８５  ミキシングアンプ
８６  カラオケリモコン装置
９１  ネットワーク送受信手段
９２  中央制御手段
９３  ＲＯＭ
９４  ＲＡＭ
９４ａ  予約待ち行列
９５  ＨＤＤ
９５ａ  楽曲データベース
９５ｂ  映像データベース
９６  ローカル送受信手段
９７  予約管理手段
９８  音楽再生制御手段
９９  Ａ／Ｄコンバータ
１００  映像再生制御手段
１０１  同期演奏情報表示手段
１０２  同期演奏モード移行手段
１０３  同期演奏応募者存在情報表示手段
１１０  モバイルＷＷＷ中継サーバ
１１１  選曲用アプリケーションソフト
１１２  楽曲索引データベース
【図１】
2014026183.tif 000003
【図２】
2014026183.tif 000004